(57)【特許請求の範囲】
【請求項１】
包装機における片面のみが熱シール可能なシーラント面となる帯状フィルムの搬送途中に設けられ、その帯状フィルムの進行方向に対して交差する方向に折り線を形成する包装フィルム用折り線形成装置であって、
前記シーラント面に対向するように冷却用挟持刃を配置し、前記非シール面に対向するように加熱用挟持刃を配置し、
前記冷却用挟持刃が前記シーラント面に接触し、前記加熱用挟持刃が前記非シール面に接触した状態で前記帯状フィルムを挟み込んで加圧して前記折り線を形成するように構成し、
前記冷却用挟持刃と前記加熱用挟持刃の温度を、前記加熱用挟持刃の熱により前記シーラント層が溶けでない設定としたことを特徴とする包装フィルム用折り線形成装置。
【請求項２】
前記冷却用挟持刃と前記加熱用挟持刃は、前記帯状フィルムを挟み込んだ状態でその帯状フィルムの移動に同期して前記帯状フィルムと同一方向に移動するようにしたことを特徴とする請求項１に記載の包装フィルム用折り線形成装置。
【請求項３】
前記冷却用挟持刃は、水冷方式で冷却するようにしたことを特徴とする請求項１または２に記載の包装フィルム用折り線形成装置。
【請求項４】
前記冷却用挟持刃と前記加熱用挟持刃は、前記帯状フィルムの搬送方向に沿って複数箇所に配置することを特徴とする請求項１から３のいずれかに記載の包装フィルム用折り線形成装置。
【請求項５】
複数組の前記冷却用挟持刃と前記加熱用挟持刃は、前記帯状フィルムの搬送方向に沿って移動可能に配置し、隣接する前記冷却用挟持刃，前記加熱用挟持刃との距離を変更できるようにしたことを特徴とする請求項４に記載の包装フィルム用折り線形成装置。
【発明の詳細な説明】
【技術分野】
【０００１】
本発明は、包装フィルム用折り線形成装置に関するもので、より具体的には、帯状フィルムの搬送途中で包装フィルムの進行方向と交差する方向に折り線を形成するのに適した技術に関する。
【背景技術】
【０００２】
よく知られているように、ピロー包装機は、原反ロールに巻き取られた帯状フィルムを連続して製袋器に供給し、その製袋器を通過させる際に筒状に製袋される。そして、製袋器の下流側に配置されたセンターシール装置にて、製袋器を通して筒状に製袋されて重ね合わされたフィルム重合端をシールすることにより筒状フィルムを形成する。また、この製袋器の上流側には製品搬送供給装置を配置し、その製品搬送供給装置から所定間隔毎に搬送される製品が、製袋器内に供給される。これにより、製品が製袋器内を通過すると、筒状フィルム内に所定間隔毎に収納されることになり、その製品は筒状フィルムとともに搬送される。そして、ピロー包装機の搬出側に配置されたエンドシール装置にて、筒状フィルムを所定間隔毎に横方向に横断するようにシール・カットすることにより、製品を内包するピロー包装体が製造される。
【０００３】
通常、ピロー包装体の外形は、収納する製品の外形状に起因する。つまり、製品が箱状の場合には、包装体も箱状に形成されるが、飴，小袋等の小物品を複数個収納する場合や、練り状物等の場合には、筒状のままとなる。また、製品の形状が矩形状であっても、カステラ等の軟らかいものの場合には、包装体の外形は、概略矩形になるものの角部は丸みを帯びた形状となる。
【０００４】
一方、特許文献１等に開示されたフィルム折り線形成装置を用いることで、被包装物の形状に関係無く包装体の四隅を角張るようにしたり、包装体のエンドシール部位に沿って折り線を形成してエンドシール部を綺麗に折り畳んで平坦な底面を構成して自立させるようにしたりする等、包装体の商品価値を高めることができる。
【０００５】
この特許文献１に開示されたフィルム折り線形成装置は、製袋器に供給する前の搬送途中の帯状フィルムに対し、進行方向と同一方向や、進行方向と直交方向に折り線を形成するものである。そして本発明に関係する帯状フィルムの進行方向と直交方向（帯状フィルムの幅方向）に折り線を形成するための装置構成は、具体的には帯状フィルムを挟んで対向配置され、同期して回転する第１折り癖付けローラと第２折り癖付けローラとを備えている。
【０００６】
第１折り癖付けローラは、帯状フィルムの幅よりも長い円筒状の回転体と、その回転体の外周面に突出配置された第１折り癖部を有する。同様に、第２折り癖付けローラは、帯状フィルムの幅よりも長い円筒状の回転体と、その回転体の外周面に突出配置された第２折り癖部を有する。
【０００７】
第１折り癖部と、第２折り癖部は、その回転体が１回転する都度その先端同士が接触するように構成され、第１折り癖ローラと第２折り癖ローラ間に帯状フィルムが存在している場合、その帯状フィルムは、その第１折り癖部と第２折り癖部の先端同士にて挟み込まれ、所定の圧力で加圧される。
【０００８】
更に第１折り癖部の先端には帯状フィルムを押し込む凸部を設け、第２折り癖部の先端には、その凸部と符合する凹部を設ける。さらに、第１折り癖部と第２折り癖部には、ヒータを内蔵している。
【０００９】
これにより、第１折り癖付けローラ（第１折り癖部の凸部）と、第２折り癖付けローラ（第２折り癖部の凹部）で帯状フィルムをその両側から加熱しながら所定の圧力で加圧することで、帯状フィルムは、凸部により押し付けられて横方向に横断するように折り線が形成される。
【００１０】
帯状フィルムに折り線を形成する要素は、第１折り癖部の凸部と第２折り癖部の凹部で挟み込む際の圧力と、帯状フィルムを軟化させて変形（折り癖）しやすくするための熱がある。そして、従来の一対の折り癖付けローラを用いた回転方式の折り線形成装置における折り線を付けるための主な要素は、もっぱら圧力であった。そのため、ヒータの温度はあまり高くする必要はなく、包装機本体におけるシール装置におけるシーラに実装されるヒータ温度よりも低く、包装フィルムの表面のシーラント面が溶融してそれに接触する折り癖部側に溶けた包装フィルムがくっつくおそれもなく、帯状フィルムの進行方向と直交する横方向に折り線を形成することができる。
【先行技術文献】
【特許文献】
【００１１】
【特許文献１】特開２００９−２６９６７６号公報
【発明の概要】
【発明が解決しようとする課題】
【００１２】
しかしながら、上述した従来の折り線形成装置では、帯状フィルムに加わる圧力が強いためフィルムを押し潰し、傷のような折り線になってしまう。特に、フィルム材質が弱いものを用いた場合には顕著となる。また、回転式の場合、一対の折り癖付けローラが帯状フィルムを挟み込んで加圧している時間は短いため、圧力を弱くすると折り線が形成できなくなるおそれがある。
【００１３】
一方、帯状フィルムを加熱して軟化させて変形しやすい状態にするととともに、帯状フィルムを挟み込んで加圧している時間を長くすると、小さい圧力でも折り線を形成することができるが、加熱温度の上昇により帯状フィルムが溶けてべたつき、当該帯状フィルムに接触する装置に付着等し、帯状フィルムの搬送に影響を及ぼすという新たな課題を生じる。
【課題を解決するための手段】
【００１４】
上述した課題を解決するために、本発明の包装フィルム用折り線形成装置は、（１）包装機における片面のみが熱シール可能なシーラント面となる帯状フィルムの搬送途中に設けられ、その帯状フィルムの進行に対して交差する方向に折り線を形成する包装フィルム用折り線形成装置であって、前記シーラント面に対向するように冷却用挟持刃を配置し、前記非シール面に対向するように加熱用挟持刃を配置し、前記冷却用挟持刃が前記シーラント面に接触し、前記加熱用挟持刃が前記非シール面に接触した状態で前記帯状フィルムを挟み込んで加圧して前記折り線を形成するように構成し、前記冷却用挟持刃と前記加熱用挟持刃の温度を、前記加熱用挟持刃の熱により前記シーラント層が溶けでない設定とした。包装フィルム用折り線形成装置は、実施形態では横方向フィルム折り線形成装置３０，３０′により実現される。交差方向は、実施形態では帯状フィルムの進行方向と直交する方向としているが、必ずしも直交していなくても良い。冷却用挟持刃は、接触するフィルム面を冷却するもので、実施形態では、その冷却用挟持刃が形成される冷却側折り癖部に冷却手段（具体的には冷水を流す構造）を内蔵し、その冷却手段によって冷やすようにしている。加熱用挟持刃は、接触するフィルム面を加熱し変形しやすいように軟化させるもので、実施形態ではその加熱用挟持刃が形成される加熱側折り癖部材に加熱手段（具体的には通電式のヒータ）を内蔵し、その加熱手段が発する熱により加熱するようにしている。冷却するための手段、加熱するための手段はこれに限るものではなく各種のものにより実現できる。
【００１５】
加熱側挟持刃は接触するフィルム面（非シール面）を加熱し、冷却用挟持刃は接触するフィルム面（シーラント面）を冷却する。よって、仮に高温度で帯状フィルムを加熱しても、直接加熱されるフィルム面は非シール面であるため加熱用挟持刃が接触する非シール面が溶けてべたつくことはない。また、係る高温度の熱は、帯状フィルム内を伝わり反対側のシーラント面にも伝わるが、係るシーラント面は冷却側挟持刃により冷却されているため、シーラント面が溶けてべたつくこともない。よって、高温で加熱することで変形しやすくなり、加圧力を小さくしても折り線を形成することができ、帯状フィルムが傷つくこともなくなる。
【００１６】
（２）前記冷却用挟持刃と前記加熱用挟持刃は、前記帯状フィルムを挟み込んだ状態でその帯状フィルムの移動に同期して帯状フィルムと同一方向に移動するようにするとよい。このようにすると、帯状フィルムを連続して搬送しながら一定期間帯状フィルムを加熱するとともに加圧することができ、確実に折り線を形成しつつ、高速に包装機本体に供給することができる。
【００１７】
（３）前記冷却用挟持刃は、水冷方式で冷却するようにするとよい。簡単な構成で適切に冷却することができる。
【００１８】
（４）前記冷却用挟持刃と前記加熱用挟持刃は、前記帯状フィルムの搬送方向に沿って複数箇所に配置するとよい。同時に複数本の横方向の折り線が形成できるので、生産性が向上する。
【００１９】
（５）複数組の前記冷却用挟持刃と前記加熱用挟持刃は、前記帯状フィルムの搬送方向に沿って移動可能に配置し、隣接する前記冷却用挟持刃，前記加熱用挟持刃との距離を変更できるようにするとよい。異なる寸法の包装体用の包装機に適用することができる。
【発明の効果】
【００２０】
本発明では、帯状フィルムの横方向に折り線をしっかりと形成することができ、しかも、加熱温度を高くしてもべたつくことが無いのでスムーズに帯状フィルムを搬送することができる。更に、圧力を小さくしても折り線が形成できるので、帯状フィルムに傷が付かないで済む。
【図面の簡単な説明】
【００２１】
【図１】第１実施形態の包装フィルム用折り線形成装置が組み込まれた帯状フィルム供給装置の一部を示す正面図である。
【図２】冷却側折り癖部材，加熱側折り癖部材を示す図である。
【図３】（ａ）は折り線が形成された帯状フィルムを示す図であり、（ｂ）は包装体を示す図である。
【図４】包装フィルム用折り線形成装置の第２実施形態を示す平面図である。
【図５】その正面図である。
【図６】その側面図である。
【図７】その側面図である。
【図８】両冷却側折り癖部材の先端に設ける冷却側挟持刃や、両加熱側折り癖部材の先端に設ける加熱側挟持刃の形状の一例を示す図である。
【図９】両冷却側折り癖部材の先端に設ける冷却側挟持刃や、両加熱側折り癖部材の先端に設ける加熱側挟持刃の形状の一例を示す図である。
【図１０】（ａ）は図２における冷却側挟持刃３６と加熱側挟持刃３７の先端部分を示す拡大図であり、（ｂ）は従来構成の挟持刃の先端部分を示す拡大図である。
【発明を実施するための形態】
【００２２】
図１は、本発明の包装フィルム用折り線形成装置の第１実施形態を実装したフィルム供給装置１０の一例の一部分を示している。このフィルム供給装置１０は、上流側に設置された原反ロールから連続して繰り出された帯状フィルム１を搬送し、次段のピロー包装機本体に供給する装置である。
【００２３】
帯状フィルム１は、一方の面（包装体における内周面）が加熱により溶融し、その同一面の接触部位同士が熱シールされるシーラント面（シーラント層）となり、他方の面（包装体３４における外側表面）は、加熱されても溶融しない非シール面（ベースフィルム）となる。
【００２４】
フィルム供給装置１０は、原反ロールから連続して引き出された帯状フィルム１を所定の搬送経路で搬送しピロー包装機本体の搬入部位（製袋器）に導くための当該経路を規定する複数のフリーローラ１１と、第１，第２フィードローラ１２，１３と、ダンサーローラ１４と、位置合わせ用ローラ１５を備える。帯状フィルム１は、それら各ローラに掛け渡されて搬送される。
【００２５】
さらにフィルム供給装置１０は、帯状フィルムの進行方向に沿って、縦方向フィルム折り線形成装置２０と、横方向フィルム折り線形成装置３０を備える。縦方向フィルム折り線形成装置２０は、帯状フィルム１の進行方向に沿って並行（縦方向）に折れ線を形成する装置である。さらに、縦方向フィルム折り線形成装置２０は、帯状フィルム１の進行方向に沿って３箇所に配置している。
【００２６】
具体的には、縦方向フィルム折り線形成装置２０は、帯状フィルム１を挟んで対向配置された大径円盤状の第１癖付けローラ２１と、小径円状の２個の第２癖付けローラ２２を備えている。第１癖付けローラ２１と第２癖付けローラ２２は、それぞれ軸受けを兼ねた機枠２３に取り付けられており、各癖付けローラ２１，２２は自転する。さらに、この１つの第１癖付けローラ２１と２つの第２癖付けローラ２２のセットを、帯状フィルム１の幅方向に所定の距離を置いて２セット設ける。
【００２７】
対となる第１癖付けローラ２１と第２癖付けローラで帯状フィルムを加熱しながら加圧することで、接触している部位に折り線を形成する。従って、１つの縦方向フィルム折り線形成装置２０を通過することで、２本の平行な折り線が形成される。また、上流側から順に２つの縦方向フィルム折り線形成装置２０は、フィルムの進行方向に沿って所定位置に４本の山折り線１ｂを形成し、３番目の縦方向フィルム折り線形成装置２０は２本の谷折り線１ｃを形成する（図３（ａ）参照）。
【００２８】
所定位置に山折り癖１ｂ，谷折り線１ｃが付けられた帯状フィルム１が包装機本体の製袋器に導かれ、そこを通過することにより筒状フィルムに製袋される。このとき、４本の山折り線１ｂが製袋器の４つ角に導かれ、綺麗な四角筒状に形成される。つまり、図３（ｂ）に示すように、包装体２の四つ角が綺麗にとがった状態となる。また、谷折り線１ｃは、包装機本体のエンドシール装置に併設されるガゼット形成装置により内側に折り込まれ包装体２の側面に綺麗にガゼットが形成される。この縦方向フィルム折り線形成装置２０の具体的な構成は、例えば特許文献１等に開示された従来公知のものを用いることで実現できる。
【００２９】
第１フィードローラ１２は、３つの縦方向フィルム折り線形成装置２０の下流側に配置され、図外の駆動モータからの駆動力を受けて回転する。その第１フィードーラ１２の回転力が帯状フィルム１に伝わり、帯状フィルム１は連続して引き出される。
【００３０】
また、第１フィードーラ１２の下方には、第２フィードーラ１３が配置される。この第２フィードローラ１３も図外の駆動モータ（第１フィードーラ１２の駆動モータとは別）からの駆動力を受けて回転し、この第２フィードローラ１３に掛け渡された帯状フィルム１に対して搬送力を与える。そして、横方向フィルム折り線形成装置３０は、これら両フィードローラ１２，１３の間に配置される。両駆動モータは同期して回転し、横方向フィルム折り線形成装置３０を通過する帯状フィルム１がピンと張った状態で搬送するようにしている。
【００３１】
ダンサーローラ１４は、第１フィードーラ１２と横方向フィルム折り線形成装置３０との間に配置される。ダンサーローラ１４は、エアシリンダに連携されており、エアシリンダの圧力により掛け渡された帯状フィルム１に対し図中右側に付勢するようになっている。この付勢する力により帯状フィルム１に所定のテンションを与え、両フィードローラ１２，１３間の帯状フィルム１がピンと張った状態に維持できる。
【００３２】
さらに本実施形態では、横方向フィルム折り線形成装置３０の動作にタイミングを合わせてエアシリンダの圧力を調整する。すなわち、後述するように横方向フィルム折り線形成装置３０で帯状フィルム１に対して横方向に折り線を形成する際に帯状フィルム１を挟み込む際に低圧にし、通常時は高圧に制御する。これにより、折り線形成時に帯状フィルム１が折り込まれて第１フィードーラ１２から横方向フィルム折り線形成装置３０に位置する帯状フィルム１のフィルム部位が横方向フィルム折り線形成装置３０側に引き寄せられるが、シリンダ圧力を低圧にすることで係る引き寄せを可能にするとともに帯状フィルム１が必要以上に大きなテンションが帯状フィルムに加わるのを抑制する。これにより、両フィードローラ１２，１３間にある帯状フィルム１の全長を変えることなく、しかもテンションも一定にかかり所望のテンションでピンと張った状態が維持できる。
【００３３】
横方向フィルム折り線形成装置３０は、帯状フィルム１が垂直方向に下降移動する搬送経路の途中に設けられる。横方向フィルム折り線形成装置３０は、帯状フィルム１を挟んで対向配置する冷却側折り癖部材３１と加熱側折り癖部材３２を備える。上述したように本実施形態で用いる帯状フィルム１は、加熱により溶融するシーラント面（シーラント層）と、加熱されても溶融しない非シール面（ベースフィルム）を有する。そこで、シーラント面に対向するように冷却側折り癖部材３１を配置し、非シール面に対向するように加熱側折り癖部材３２を配置する。
【００３４】
図２に拡大して示すように、本実施形態の冷却側折り癖部材３１と加熱側折り癖部材３２は、ともに矩形状の本体を有し、その本体の対向する面の上下両端にそれぞれ冷却側挟持刃３６と加熱側挟持刃３７を一体に突出形成している。そして、この冷却側挟持刃３６と加熱側挟持刃３７は、互いに接近してその先端が符合し、帯状フィルム１を左右から挟み込むことでその先端形状に沿って帯状フィルム１に癖付けして折り線を形成する。本実施形態では、冷却側挟持刃３６が上下に３つの山（２つの谷）を持ち、加熱側挟持刃３７が上下に２つの山（１つの谷）を持ち、互いの山と谷が符合し合う形状となっている。各山・谷は、帯状フィルム１の進行方向と直交方向に伸びるように形成される。さらに、この冷却側折り癖部材３１，加熱側折り癖部材３２の横幅（帯状フィルム１に対向する面の横幅：帯状フィルム１の進行方向と直交する方向）は、帯状フィルム１の横幅（帯状フィルム１の進行方向と直交する方向の長さ）よりも長くし、帯状フィルム１の幅全長に渡り折り線を形成できるようにしている。
【００３５】
この上下に３つの山（２つの谷）を持つ冷却側挟持刃３６と、上下に２つの山（１つの谷）を持つ加熱側挟持刃３７の具体的な構成は、図１０に拡大して示すようになっている。すなわち、冷却側挟持刃３６は、中央の山からなる第一凸部３６ａと、その第一凸部３６ａの両側（帯状フィルム１の進行方向に沿っての前後）に配置される第二凸部３６ｂを備える。第一凸部３６ａの高さを第二凸部３６ｂの高さよりも高くしている。第一凸部３６ａと第二凸部３６ｂの間には、第一凹部３６ｃが形成される。加熱側挟持刃３７は、第一凸部３６ａに対向する位置に凹部３７ａを備え、その凹部３７ａの両側（帯状フィルム１の進行方向に沿って前後）に二つの凸部３７ｂを備える。この凸部３７ｂは、冷却側挟持刃３６の第一凹部３６ｃに対向する。
【００３６】
冷却側挟持刃３６，加熱側挟持刃３７を上記の構成することで、帯状フィルム１を挟み込むと、以下に示す作用によりしっかりと折り癖を付けることができる。すなわち、両挟持刃３６，３７が接近移動すると、冷却挟持刃３６の第一凸部３６ａが帯状フィルム１の一方の面に接触して加熱側挟持刃３７に向けて付勢する。これにより、第一凸部３６ａに接触した当該帯状フィルム１のフィルム部位は、加熱側挟持刃３７の凹部３７ｂに押し込まれ、第一凸部３６ａと凹部３７ｂの間で挟まれて折り線が形成されようとする。つまり、帯状フィルム１は、第一凸部３６ａに接触する前は下方に真っ直ぐに延びた平坦な状態となっているが、第一凸部３６ａの先端に接触して加熱側挟持刃３７の凹部３７ｂ内に押し込まれることで、その帯状フィルム１は図１０（ａ）中、実線の矢印で示す方向に引き込まれようとする。このとき、加熱側挟持刃３７の凸部３７ｂは帯状フィルム１の他方の面に接触して冷却側挟持刃３６（第一凹部３６ｃ）に向けて付勢し、凸部３７ｂの先端が接触するフィルム部位のフィルム進行方向の前後両側近傍のフィルム部位は図１０（ａ）中、破線の矢印で示す方向に引き込まれようとする。しかも、この加熱側挟持刃３７の凸部３７ｂが接触するフィルム部位のフィルム進行方向の前後両側は、冷却側挟持刃３６に対向する一方の面において、第一凸部３６ａと第二凸部３６ｂがそれぞれ接触していることもあり、第一凸部３６ａから第二凸部３６ｂまでのフィルム部位は、凸部３７ｂで付勢されてピンと張った状態となる。
【００３７】
よって、第一凸部３６ａによるフィルムの引き込み方向（図中実線矢印方向）と、凸部３７ａによるフィルムの引き込み方向（図中破線矢印方向）が逆向きとなることから、第一凸部３６ａによりフィルムが引き込まれるのを抑制し、第一凸部３６ａによってしっかりと折り線を付けることができる。つまり、凸部３７ｂによる図中破線矢印方向にフィルムが引き込まれようとするのが、第一凸部３６ａにより帯状フィルム１を付勢する際のフィルム抑えとして機能する。
【００３８】
また、上述したように、帯状フィルム１に対する折り線の形成は、第一凸部３６ａと凹部３７ａの挟み込みにより形成する。そして第二凸部３６ｂは、第一凸部３６ａにて帯状フィルムが引き込まれるのを抑制するフィルム抑え機能の一部を構成する。そこで、第一凸部３６ａの高さを第二凸部３６ｂの高さよりも高くすることで、しっかりと折り線を付けることができ、また、必要以上に第二凸部３６ｂによって帯状フィルム１顔されるのを抑止している。
【００３９】
これに対し、例えば図１０（ｂ）に示すように、一方の挟持刃Ａに一つの凸部を設けた従来から一般にある形状とすると、一対の挟持刃Ａ，Ｂで帯状フィルム１を挟み込むと、帯状フィルム１は挟持刃Ａの凸部の先端に接触して他方の挟持刃Ｂの凹部内に押し込まれることで、その帯状フィルム１は図１０（ｂ）中、実線矢印で示す方向に引き込まれてしまう。そして、本実施形態のようにフィルム抑え機能が無いので、実線矢印方向にフィルムが引き込まれることで帯状フィルムが逃げてしまうことになり、本実施形態と比較して折り線をしっかり付けることができなくなる。
【００４０】
冷却側折り癖部材３１には、その本体の上下端の対向面近傍位置に、横方向（帯状フィルム１の進行方向と直交する方向）に伸びる孔部３１ａを有している。そしてその孔部３１ａ内に冷水を通す配管３４が挿入設置されている。そして、この配管３４内に冷水（例えば１７℃）を流すようにしている。この配管３４内を流れる冷水により、金属製の冷却側折り癖部材３１の本体ひいては冷却側挟持刃３６が冷却される。配管３４は、冷却側折り癖部材３１に形成した孔部をそのまま用いても良い。そして、この配管３４の両端は、冷水を循環させるための当該冷水の通路となるチューブの端部が連結されるとともに、係るチューブは、例えばフィルム供給装置１０の裏面側に設置した冷却装置により冷却し、その冷却した冷水を循環ポンプにより常に配管３４内を流通させる。
【００４１】
一方、加熱側折り癖部材３２には、その本体の上下端の対向面近傍位置に、横方向（帯状フィルム１の進行方向と直交する方向）に伸びる孔部３２ａを有している。そしてその孔部３２ａ内にヒータ３５が挿入設置されている。このヒータ３５に通電して加熱することで、金属製の加熱側折り癖部材３２の本体ひいては加熱側挟持刃３７が加熱される。このときの加熱温度は、従来の折り線形成装置に比べて高い温度（例えば１３０℃）に設定している。
【００４２】
このように高温度で帯状フィルム１を加熱しても、加熱側折り癖部材３２（加熱側挟持刃３７）は帯状フィルム１の非シール面（ベースフィルム）に接触しているため、直接接触して加熱されるフィルム面は溶けてべたつくことはない。また、係る高温度の熱は、帯状フィルム１内を伝わり反対側のシーラント層にも伝わるが、係るシーラント層は冷却側折り癖部材３１（冷却側挟持刃３６）により冷却されているため、シーラント層が溶けてべたつくこともない。
【００４３】
冷却側折り癖部材３１と加熱側折り癖部材３２は、互いにその対向面を対向させた状態を維持しながら接近／離反したり、昇降移動したりする。すなわち、冷却側折り癖部材３１と加熱側折り癖部材３２は、図１中二点鎖線で示す軌跡で同期して回転移動する。具体的には、上方位置で互いに接近し冷却側挟持刃３６と加熱側挟持刃３７が接触し、その接触した状態のまま下降移動し、その後離反しながら上昇移動する。係る動作は、カム機構等の駆動機構３３により行われ、包装機本体に実装されるいわゆるボックスモーション型のエンドシール装置における駆動機構と同種のものにより実現できる。
【００４４】
そして、冷却側折り癖部材３１と加熱側折り癖部材３２の間に帯状フィルム１が介在した状態で冷却側挟持刃３６と加熱側挟持刃３７が接近して符合し合うことで、帯状フィルム１は、両挟持刃３６，３７により所望の圧力で加圧される。その状態で両挟持刃３６，３７が下降移動することで、帯状フィルム１は、その加圧された状態が一定時間継続することになる。そして、この挟み込むときの加圧力は、従来の折り線形成装置に比べて小さい圧力に設定している。ここで、小さい圧力とは、挟み込んで加圧した際に帯状フィルムにキズが付かない程度とする。
【００４５】
本実施形態では、帯状フィルム１を高温で加熱し軟化して変形しやすい状態にしても、冷却側挟持刃３６にシーラント層が溶けてべたつくこともなく、安定して帯状フィルムの搬送が行える。そして、帯状フィルム１を両挟持刃３６，３７で挟み込んで加圧した状態を一定時間確保できるので、小さい圧力でも確実に両挟持刃３６，３７の外形状に沿って帯状フィルム１に折り癖を付け、横方向に折り線を形成することができる。つまり、図１０を用いて説明したように、本実施形態では、上下に３つの山（２つの谷）を持つ冷却側挟持刃３６と、上下に２つの山（１つの谷）を持つ加熱側挟持刃３７を用いることで、機械的な構造・形状の特徴から折り癖をしっかりと付けることができる効果に加え、帯状フィルム１を加熱軟化して変形しやすい状態にすることから、よりしっかりと折り線を形成することができる。
【００４６】
また、本実施形態では、冷却側折り癖部材３１の上下に設けた冷却側挟持刃３６と、加熱側折り癖部材３２の上下に設けた加熱側挟持刃３７により、帯状フィルム１の進行方向と直交方向に伸びる折り線１ａ，１ａ′を、前後に所定の間隔をおいて２本同時に形成する（図３（ａ）参照）。この２本の折り線１ａ，１ａ′は、下側の冷却側挟持刃３６と加熱側挟持刃３７にて折り線１ａ′が形成され、上側の冷却側挟持刃３６と加熱側挟持刃３７にて折り線１ａが形成される。そして、この同時に形成される２本の折り線１ａ，１ａ′間のフィルム部位が、後続の包装機本体にてエンドシール（エンドシール部２ａ，２ａ′）される。つまり、１つの包装体の折り線１ａと、別の包装体の折り線１ａ′を同時に形成するようになっている。
【００４７】
なお、本実施形態では、冷却側挟持刃３６に３つの山（第一凸部３６ａと第二凸部３６ｂ）を設け、加熱側挟持刃３７に２つの山（凸部３７ｂ）を設けたが、フィルムに対する折り線の突出方向（山折り／谷折り）により逆の配置（冷却側挟持刃３６を２つの山，加熱側挟持刃３７を３つの山）としても良い。
【００４８】
なおまた、本発明では、片面のみが熱シール可能なシーラント面となる帯状フィルム帯状フィルムに対して、シーラント面を冷却しつつ非シール面を加熱するようにしたため、加熱側挟持刃３７と冷却側挟持刃３６を設けたが、本発明の実施形態とはならないものの上記の３つの山を備えた挟持刃と、２つの山を備えた挟持刃によりフィルムを挟み込むことで、機械的にしっかりと折り線・折り癖を付けるようにしても良い。特にフィルムの材質等により加熱を必要としないものの場合に有効に機能する。また、フィルムの材質等により両方の挟持刃を加熱しても良い。
【００４９】
図４〜図７は、第２実施形態を示している。上述した第１実施形態では、冷却側折り癖部材３１に２つの冷却側挟持刃３６を一体に設け、加熱側折り癖部材３２に２つの加熱側挟持刃３７を一体に設けたため、形成される２本の折り線１ａ，１ａ′間の間隔は固定であった。これに対し、本実施形態の横方向フィルム折り線形成装置３０′は、２本の折り線１ａ，１ａ′間の間隔を変更できるようにしている。
【００５０】
具体的には、上下に第１冷却側折り癖部材４１，第２冷却側折り癖部材４２を昇降可能に分離配置し、それぞれの冷却側折り癖部材４１，４２の先端に冷却側挟持刃４７を一体に形成する。同様に上下に第１加熱側折り癖部材４３，第２加熱側折り癖部材４４を分離配置し、それぞれの加熱側折り癖部材４３，４４の先端に加熱側挟持刃４８を一体に形成する。
【００５１】
第２冷却側折り癖部材４２は、ベース５１に取り付ける。そして、第１冷却側折り癖部材４１は、ベース５１に対して昇降移動可能に取り付けられた移動台５２に取り付ける。よって、移動台５２をベース５１に対して昇降させることで、第１冷却側折り癖部材４１を第２冷却側折り癖部材４２に対して相対的に上昇させたり下降させたりして両冷却側折り癖部材４１，４２間の距離を変更できる。また、移動台５２は、その両端においてベース５１の上面両端に上方に突出する柱部５１ａに沿って形成した長孔５１ｂに連係され、長孔５１ｂに沿って昇降移動可能になる。そして、固定ネジ５６を締結することで、移動台５２ひいては第１冷却側折り癖部材４１が、所望の高さ位置で固定される。
【００５２】
第１冷却側折り癖部材４１は移動台５２に対し、また、第２冷却側折り癖部材４２はベース５１に対して水平方向に所定距離移動可能となる。すなわち、第１冷却側折り癖部材４１，第２冷却側折り癖部材４２は、それぞれスライドガイド軸５５の一端が連結される。スライドガイド軸５５は、それぞれの冷却側折り癖部材４１，４２を水平方向に貫通配置されるとともに軸方向に移動可能なっている。よって、両冷却側折り癖部材４１，４２は、スライドガイド軸５５に案内されて水平方向、すなわち、両加熱側折り癖部材４３，４４（帯状フィルム１）に対して接近・離反移動する。さらに両冷却側折り癖部材４１，４２は、移動台５２，ベース５１に収納されるコイルスプリング５４の先端が接触しており、そのコイルスプリング５４の弾性復元力により、加熱側折り癖部材４３，４４（帯状フィルム１）に向けて付勢される。さらに、圧力調整用ネジ５３を締めたり緩めたりすることで、コイルスプリング５４の弾性復元力を調整し、帯状フィルム１を挟み込んだ際の圧力を変更できるようにしている。このように水平移動する機構は、第１実施形態でも同様に構成できる。
【００５３】
さらにベース５１の両端外側には、カムフロア４９が取り付けられており、このカムフロア４９がその外側に配置される図示省略したカムのカム溝（図１に二点鎖線で示した所定の軌跡のカム溝）に符合してカム機構となる。そして、公知の駆動機構によりカム機構を回転運動することで、ベース５１（第２冷却側折り癖部材４２）さらにそれに連係された移動台５２（第１冷却側折り癖部材４１）は、所定の軌跡で公転移動する。
【００５４】
加熱側も同様に、第２加熱側折り癖部材４４は、固定ネジ６３を用いてベース６１に取り付ける。そして、第１加熱側折り癖部材４３は、ベース６１に対して昇降移動可能に取り付けられた移動台６２に固定ネジ６３を用いて取り付ける。よって、移動台６２をベース６１に対して昇降させることで、第１加熱側折り癖部材５１を第２加熱側折り癖部材５２に対して相対的に上昇させたり下降させたりして両加熱側折り癖部材４３，４４間の距離を変更できる。
【００５５】
更に第１冷却側折り癖部材４１，第２冷却側折り癖部材４２の先端には、それぞれ冷却側挟持刃４７を一体に突出形成している。また、第１加熱側折り癖部材４３，第２加熱側折り癖部材４４の先端には、それぞれ加熱側挟持刃４８を一体に突出形成している。この冷却側挟持刃４７と加熱側挟持刃４８は、その先端が符合し、その先端形状に沿って帯状フィルム１に癖付けして折り線を形成する。本実施形態では、図８（ａ）に拡大して示すように、冷却側挟持刃４７が上下に３つの山（２つの谷）を持ち、加熱側挟持刃４８が上下に２つの山（１つの谷）を持ち、互いの山と谷が符合し合う形状となっている。各山・谷は、帯状フィルム１の進行方向と直交方向に伸びるように形成される。さらに、この冷却側折り癖部材３１，加熱側折り癖部材３２の横幅（帯状フィルム１に対向する面の横幅：帯状フィルム１の進行方向と直交する方向）は、帯状フィルム１の横幅（帯状フィルム１の進行方向と直交する方向の長さ）よりも長くし、帯状フィルム１の幅全長に渡り折り線を形成できるようにしている。
【００５６】
さらに、両冷却側折り癖部材４１，４２の先端近傍に横方向（帯状フィルム１の進行方向と直交する方向）に伸びる孔部４１ａ，４２ａを設け、その孔部４１ａ，４２ａ内に冷水を通す配管４５が挿入設置されている。そして、この配管４５内に冷水（例えば１７℃）を流すようにしている。
【００５７】
また、両加熱側折り癖部材４３，４４の先端近傍に横方向（帯状フィルム１の進行方向と直交する方向）に伸びる孔部４３ａ，４４ａを設け、その孔部４３ａ，４４ａ内にヒータ４６が挿入設置されている。このヒータ４６に通電して加熱することで、金属製の両加熱側折り癖部材４３，４４ひいては加熱側挟持刃４８が加熱される。なお、その他の構成並びに作用効果は、上述した第１実施形態と同様であるのでその詳細な説明を省略する。
【００５８】
第１冷却側折り癖部材４１，第２冷却側折り癖部材４２の先端に設ける冷却側挟持刃や、第１加熱側折り癖部材４３，第２加熱側折り癖部材４４の先端に設ける加熱側挟持刃の形状は、上述した実施形態のものに限ることはなく、各種の形態をとることができる。一例を示すと、図８（ｂ），（ｃ）や図９に示すものがある。すなわち、図８（ｂ）に示すように、冷却側挟持刃６１は１つの山の凸条であり、加熱側挟持刃６２はそれに対応する凹溝とする。図８（ｃ）に示すように冷却側挟持刃６３と加熱側挟持刃６４がともに突出した突起とするとともに対象形状とし、先端並びにそれに続く側面を相手側に接触して折り癖を付けて折り線を形成する。
【００５９】
図９（ａ）に示すように、冷却側挟持刃６５は先端が細幅で尖った形状の突起とし、加熱側挟持刃６６は冷却側挟持刃６５の上下厚さよりも広い凹溝としてもよい。図９（ｂ）に示すように、冷却側挟持刃６７，加熱側挟持刃６８はともに先端が細幅で尖った形状の突起としてもよい。更に図９（ｃ）に示すように、冷却側挟持刃６９は１つの山の突起とし加熱側挟持刃７０は突起の先端に凹溝を形成した形状としても良い。
【００６０】
さらに図８，図９に示す形状は、一例を示しており、他の形状としてももちろん良い。また、図８，図９は上下で分離した第２実施形態を前提としているが、冷却側挟持刃並びに加熱側挟持刃は、第１実施形態に適用するのももちろん良い。
【符号の説明】
【００６１】
１  帯状フィルム
１０  フィルム供給装置
３０，３０′  横方向フィルム折り線形成装置
３１  冷却側折り癖部材
３２  加熱側折り癖部材
３４  配管
３５  ヒータ
３６  冷却側挟持刃
３７  加熱側挟持刃
４１  第１冷却側折り癖部材
４２  第２冷却側折り癖部材
４３  第１加熱側折り癖部材
４４  第２加熱側折り癖部材
４５  配管
４６  ヒータ
４７  冷却側挟持刃
４８  加熱側挟持刃
【図１】
0006000649.tif 000002
【図２】
0006000649.tif 000003
【図３】
0006000649.tif 000004
【図４】
0006000649.tif 000005
【図５】
0006000649.tif 000006
【図６】
0006000649.tif 000007
【図７】
0006000649.tif 000008
【図８】
0006000649.tif 000009
【図９】
0006000649.tif 000010
【図１０】
0006000649.tif 000011